(57)【要約】【課題】  清掃体を効率よく除塵することができ、塵埃除去性能を向上させることができる回転清掃体の除塵機構を提供する。【解決手段】  回転清掃体の除塵機構は、回転清掃体１５と、回転清掃体１５に付着した塵埃等を除去する除塵体２８とを有しており、除塵体２８は、基部２８ａから突出し、回転清掃体１５に当接する複数の櫛歯により形成された除塵部２８ｂ、２８ｂ・・・と、櫛歯間に形成される谷部２８ｃ、２８ｃ・・・とを備え、除塵部２８ｂは、回転清掃体１５の回転軸１５ａの長手方向に向かって傾斜していると共に、除塵部２８ｂは、螺旋状に形成された清掃体１５ｂの螺旋の傾斜方向と同方向に傾斜して清掃体１５ｂに当接させている。【選択図】図９
2017213558.tif 000002
【特許請求の範囲】
【請求項１】
被清掃面に付着した塵埃等を除去する為の回転清掃体の除塵機構において、該除塵機構は、
螺旋状に形成された清掃体を備えた回転清掃体と、前記回転清掃体に付着した塵埃等を除去する除塵体とを有し、
該除塵体は、前記回転清掃体に当接する複数の櫛歯により形成された除塵部と、前記櫛歯間に形成される谷部とを備え、
前記除塵部は、前記回転清掃体の回転軸の長手方向に向かって傾斜していると共に、該除塵部は、前記螺旋状に形成された清掃体の螺旋の傾斜方向と同方向に傾斜して前記清掃体に当接することを特徴とする回転清掃体の除塵機構。
【請求項２】
被清掃面に付着した塵埃等を除去する為の回転清掃体の除塵機構において、該除塵機構は、
螺旋状に形成された清掃体を備えた回転清掃体と、前記回転清掃体に付着した塵埃等を除去する除塵体とを有し、
該除塵体は、前記回転清掃体に当接する複数の櫛歯により形成された除塵部と、前記櫛歯間に形成される谷部とを備え、
前記除塵部は、前記回転清掃体の回転軸の長手方向に向かって傾斜していると共に、該除塵部は、前記螺旋状に形成された清掃体の螺旋の傾斜方向と逆方向に傾斜して前記清掃体に当接することを特徴とする回転清掃体の除塵機構。
【請求項３】
清掃体は、該清掃体の先端が除塵体の谷部に当接しないように配置されていることを特徴とする請求項１又は２に記載の回転清掃体の除塵機構。
【請求項４】
除塵部の長手方向の中心線は、回転清掃体の回転中心を通らないことを特徴とする請求項１〜３のいずれか１項に記載の回転清掃体の除塵機構。
【請求項５】
請求項１〜４のいずれか１項に記載の回転清掃体の除塵機構と、該除塵機構によって塵埃等が除去される被清掃面を備えたエアフィルターと、前記除塵機構によって除去された塵埃等を収容するダストボックスとを有することを特徴とするエアフィルター清掃装置。
【請求項６】
空気吸入口から吸入した空気を空気吹出口に導く風路を有する本体と、該本体内に送風ファンと、請求項５に記載のエアフィルター清掃装置とを備え、前記エアフィルター清掃装置でエアフィルターに捕集された塵埃を除去するようにした空気調和機。
【請求項７】
請求項１〜４のいずれか１項に記載の回転清掃体の除塵機構を設けた掃除機用吸込具。
【請求項８】
電動送風機と、請求項７に記載の掃除機用吸込具とを備え、前記電動送風機と前記掃除機用吸込具とを連通させた電気掃除機。
【発明の詳細な説明】
【技術分野】
【０００１】
本発明は、被清掃面に付着した塵埃等を除去する為の回転清掃体の除塵機構と、この回転清掃体の除塵機構を備えたエアフィルター清掃装置、空気調和機、掃除機用吸込具及び電気掃除機に関するものである。
【背景技術】
【０００２】
従来から、回転清掃体に設置される除塵体として、根元部と、凸部とから構成された凸片が複数形成され、先端が櫛歯状に形成されていると共に凸片間に谷部が形成されているものが知られている。この除塵体は、谷部の近傍に壁体が形成されており、谷部と壁体の先端とによって段差が形成される事により、塵埃が圧縮される塵埃圧縮部が形成されている（特許文献１）。
【先行技術文献】
【特許文献】
【０００３】
【特許文献１】特許５４４７９３４号公報
【発明の概要】
【発明が解決しようとする課題】
【０００４】
しかしながら、上記特許文献１に記載の除塵体は、凸部の長手方向が、ブラシ毛の長手方向を含む平面に対して平行な方向となっていることから、凸部の側面を使ってブラシ毛を除塵できないため、除塵効果を低下させる原因となっていた。また、ブラシ毛の先端を谷部に接触させることによって、回転ブラシに加わる抵抗が大きくなることから、回転ブラシの回転力（トルク）を大きくする必要があった。
【０００５】
本発明は、前記従来の課題を解決するものであり、清掃体を効率よく除塵することができ、塵埃除去性能を向上させることができる回転清掃体の除塵機構と、この回転清掃体の除塵機構を備えたエアフィルター清掃装置、空気調和機、掃除機用吸込具及び電気掃除機を提供することを目的とする。
【課題を解決するための手段】
【０００６】
前記従来の課題を解決するために、請求項１の発明は、被清掃面に付着した塵埃等を除去する為の回転清掃体の除塵機構において、該除塵機構は、螺旋状に形成された清掃体を備えた回転清掃体と、前記回転清掃体に付着した塵埃等を除去する除塵体とを有し、該除塵体は、前記回転清掃体に当接する複数の櫛歯により形成された除塵部と、前記櫛歯間に形成される谷部とを備え、前記除塵部は、前記回転清掃体の回転軸の長手方向に向かって傾斜していると共に、該除塵部は、前記螺旋状に形成された清掃体の螺旋の傾斜方向と同方向に傾斜して前記清掃体に当接することを特徴としている。したがって、傾斜していない除塵部と比較した場合には、除塵部により多くの側面をつかって清掃体を除塵することができ、塵埃除去性能を向上させることができる。また、清掃体が除塵部と当接する面積が増える為、清掃体に加わる抵抗は増えるが、一方で除塵部の傾斜方向と清掃体の螺旋の傾斜方向と同方向にすることで、清掃体に加わる抵抗を少なくすると共に、清掃体が除塵体から滑らかに滑り降りるため、全体として極度に大きな抵抗を加えることなく塵埃除去性能を高めることができる。
【０００７】
請求項２の発明は、被清掃面に付着した塵埃等を除去する為の回転清掃体の除塵機構において、該除塵機構は、螺旋状に形成された清掃体を備えた回転清掃体と、前記回転清掃体に付着した塵埃等を除去する除塵体とを有し、該除塵体は、前記回転清掃体に当接する複数の櫛歯により形成された除塵部と、前記櫛歯間に形成される谷部とを備え、前記除塵部は、前記回転清掃体の回転軸の長手方向に向かって傾斜していると共に、該除塵部は、前記螺旋状に形成された清掃体の螺旋の傾斜方向と逆方向に傾斜して前記清掃体に当接することを特徴としている。したがって、傾斜していない除塵部と比較した場合には、除塵部により多くの側面をつかって清掃体を除塵することができ、塵埃除去性能を向上させることができる。また、除塵部の傾斜方向と清掃体の螺旋の傾斜方向と逆方向とすることで、清掃体に加わる抵抗がさらに増えるため、塵埃除去性能をより向上させることができる。
【０００８】
請求項３の発明は、請求項１又は２の回転清掃体の除塵機構において、清掃体は、該清掃体の先端が除塵体の谷部に当接しないように配置されていることを特徴としている。したがって、清掃体が除塵体を通過するときに加わる抵抗を小さくすることができるため、モータ等の回転清掃体の駆動源に対する負荷を軽減させることができる。
【０００９】
請求項４の発明は、請求項１〜３のいずれかの回転清掃体の除塵機構において、除塵部の長手方向の中心線は、回転清掃体の回転中心を通らないことを特徴としている。したがって、回転清掃体に対して、除塵部を長く取ることができるので、塵埃除去性能を向上させることができる。
【００１０】
請求項５の発明は、エアフィルター清掃装置の発明であって、請求項１〜４のいずれかの回転清掃体の除塵機構と、該除塵機構によって塵埃等が除去される被清掃面を備えたエアフィルターと、前記除塵機構によって除去された塵埃等を収容するダストボックスとを有するものである。したがって、塵埃除去性能を向上させることができ、モータ等の回転清掃体の駆動源に対する負荷を軽減させることができるエアフィルター清掃装置を提供することができる。
【００１１】
請求項６の発明は、空気調和機の発明であって、空気吸入口から吸入した空気を空気吹出口に導く風路を有する本体と、該本体内に送風ファンと、請求項５のエアフィルター清掃装置とを備え、前記エアフィルター清掃装置でエアフィルターに捕集された塵埃を除去するようにしたものである。したがって、塵埃除去性能を向上させることができ、モータ等の回転清掃体の駆動源に対する負荷を軽減させることができる空気調和機を提供することができる。
【００１２】
請求項７の発明は、掃除機用吸込具の発明であって、請求項１〜４のいずれかの回転清掃体の除塵機構を設けたものである。したがって、塵埃除去性能を向上させることができ、モータ等の回転清掃体の駆動源に対する負荷を軽減させることができる掃除機用吸込具を提供することができる。
【００１３】
請求項８の発明は、電気掃除機の発明であって、電動送風機と、請求項７の掃除機用吸込具とを備え、前記電動送風機と前記掃除機用吸込具とを連通させたものである。したがって、塵埃除去性能を向上させることができ、モータ等の回転清掃体の駆動源に対する負荷を軽減させることができる電気掃除機を提供することができる。
【発明の効果】
【００１４】
請求項１の発明は、塵埃除去性能を向上させることができると共に、総合して回転清掃体に加わる抵抗の増加を最小限に抑えることができる。また、請求項２の発明は、塵埃除去性能をより向上させることができる。また、請求項３の発明は、モータ等の回転清掃体の駆動源に対する負荷を軽減させることができる。さらに、請求項４の発明は、塵埃除去性能を向上させることができる。
【００１５】
請求項５〜８の発明は、請求項１〜４のいずれかの回転清掃体の除塵機構を備えていることから、塵埃除去性能を向上させることができ、モータ等の回転清掃体の駆動源に対する負荷を軽減させることができる。
【図面の簡単な説明】
【００１６】
【図１】本発明に係る回転清掃体の除塵機構を備えた空気調和機の斜視図
【図２】図１のＡ−Ａ断面図
【図３】空気調和機の前面パネルを外した状態を示す斜視図
【図４】空気調和機の前面パネルの裏面を示す斜視図
【図５】本発明に係る回転清掃体の除塵機構を示す斜視図
【図６】図２のＢ−Ｂ断面図
【図７】図２のＣ−Ｃ断面図
【図８】（ａ）回転清掃体の正面図（ｂ）回転清掃体の製法を示す斜視図（ｃ）回転清掃体の拡大断面図
【図９】（ａ）回転清掃体と除塵体の組み合わせの一例を示す図（ｂ）回転清掃体と除塵体の組み合わせの他例を示す図
【図１０】（ａ）従来のブラシ毛と除塵体の関係を示す図及びその側面図（ｂ）本発明におけるブラシ毛と除塵体の関係の一例を示す図（ｃ）本発明におけるブラシ毛と除塵体の関係の他例を示す図（ｄ）本発明におけるブラシ毛と除塵体の関係の別の他例を示す図
【図１１】（ａ）本発明における除塵体に接触したブラシ毛の動きを示す斜視図（ｂ）同断面図
【図１２】（ａ）本発明における除塵体に接触した清掃体の一例を示す断面図（ｂ）本発明における除塵体に接触した清掃体の他例を示す断面図
【発明を実施するための形態】
【００１７】
以下、本発明の実施形態について、図面を参照しながら説明する。なお、この実施の形態によって本発明が限定されるものではない。
【００１８】
図１は、本発明に係る回転清掃体の除塵機構を備えた空気調和機の斜視図、図２は、図１のＡ−Ａ断面図、図３は、空気調和機の前面パネルを外した状態を示す斜視図、図４は、同前面パネルの裏面を示す斜視図である。
【００１９】
図１〜図４において、本発明に係る回転清掃体の除塵機構を備えた空気調和機の空気調和機本体１（以下、本体１という）は、後部側に配され送風ファン２を収納するファン室２ａと、送風ファン２を回転駆動するファンモータ３と、送風ファン２の上流側に配されたエアフィルター４と、エアフィルター４の上流側の表面に付着した塵埃を、上下に移動しながら除去する回転清掃体の除塵機構５（以下、除塵機構５という）を内蔵し、前部に、エアフィルター４と除塵機構５を覆う前面パネル６が着脱自在に設けられている。尚、除塵機構５は、後述するように、螺旋状に形成された清掃体を備えた回転清掃体と、回転清掃体に付着した塵埃等を除去する除塵体とを必須の構成としており、その詳細については図８〜図１２を用いて後述する。
【００２０】
本体１の両側の側面１ａの前側には、エアフィルター４の上流側と連通し空気を取り入れるための空気吸入口７が、天面１ｂには、ファン室２ａと連通し、空気を排出する空気吹出口８がそれぞれ設けられている。
【００２１】
又、本体１の天面１ｂの前側には、本体１の運転操作用の本体スイッチ１ｃと、エアフィルター４をクリーニングする際に操作するクリーニングスイッチ１ｄと、本体１の運転状態などを表示する表示ランプ１ｅなどが設けられている。
【００２２】
前面パネル６の下方には、後述する除塵機構５のダストボックス１７を出し入れするための開口部６ａと、その開口部６ａを開閉すると共に一体に形成されたつまみ片９ａを有する蓋体９が設けられ、前面パネル６の裏面の両側には、同じく後述する回転清掃体の除塵機構５のギヤ２３が噛み合うラックギヤ１０が、除塵機構５の移動方向と同方向、すなわち垂直方向に延設されている。
【００２３】
次に、図５〜７を用いて、除塵機構５の構成について詳述する。 図５は、本発明に係る回転清掃体の除塵機構を示す斜視図であり（ダストボックスを抜いた状態）、図６は、図２のＢ−Ｂ断面図、図７は、図２のＣ−Ｃ断面図である。
【００２４】
図５〜図７において、除塵機構５は、エアフィルター４の表面に付着した塵埃を掻き取る回転清掃体１５を回転自在に収納する塵埃除去本体１６と、回転清掃体１５で除去され落下してくる塵埃を受けて貯留するダストボックス１７を有しており、塵埃除去本体１６の下部には、ダストボックス１７を前方より着脱自在に装着するための挿入口１８が設けられている。１７ａは、ダストボックス１７を取り出す際につまむつまみである。
【００２５】
塵埃除去本体１６の後方両端には、本体１の内側面１ｆに縦方向に延設されたガイド溝１９内で摺動自在に移動できる摺動片１６ａが形成されている。塵埃除去本体１６のエアフィルター４側には、回転清掃体１５が臨む開口１６ｂが設けられている。図６に示すように、ダストボックス１７を、挿入口１８より差し込んで、塵埃除去本体１６に装着すると、ダストボックス１７が、回転清掃体１５の真下に位置して、回転清掃体１５で掻き取られて落下してくる塵埃を受けるようになっている。
【００２６】
回転清掃体１５は、金属や樹脂などの材料からなる軸体（回転軸）１５ａと、軸体１５ａに取着された清掃体１５ｂから構成され、その軸体１５の両端には、前面パネル６に設けたラックギヤ１０と噛み合うギヤ２３が固着されている。２８は、回転清掃体１５の清掃体１５ｂを梳く除塵体である。
【００２７】
２４は、ギヤ２３と共に軸体１５を回転駆動する駆動手段となるモータで、モータ２４側の摺動片１６ａの前後に設けた一対の電極２５と電気的に接続されている。
【００２８】
塵埃除去本体１６に設けた二つのガイド溝１９の内、一対の電極２５を設けた摺動片１６ａをガイドする側のガイド溝１９内には、特に図示しないが、一対の電極２５に対し摺動自在でしかも、電極２５に電力を供給するためのレールが設けられている。
【００２９】
以上のように構成された本実施例における空気調和機の動作、作用は以下の通りである。
通常の空気調和運転の場合は、本体スイッチ１ｃを操作することにより、ファンモータ３が駆動し、送風ファン２が回転し、室内の空気が、本体１の両側面に設けた空気吸入口７から吸引され、エアフィルター４で塵埃が捕獲されて綺麗になった空気が、本体１の天面に設けた空気吹出口８から排出される。このようにして、室内の空気が浄化されると共に、室内の空気が循環されることにより、室内の空気の温度が均一化され、快適に過ごすことができる。
【００３０】
このようにして、空気調和機を運転していると、エアフィルター４に塵埃が堆積し、次第に空気の通りが悪くなって、空気調和効率が低下してくる。
そこで、定期的に、或いは、必要に応じて、エアフィルター４をクリーニングすることが必要になるが、本実施例では、クリーニングスイッチ１ｄを操作するだけで、エアフィルター４のクリーニングを簡単に行うことができる。
【００３１】
すなわち、クリーニングスイッチ１ｄをオンすると、ガイド溝１９内に配されたレールを通じて、電極２５に電力が供給され、モータ２４が回転駆動し、回転清掃体１５及びギヤ２３が回転する。なお、本実施例では、除塵機構５の初期位置を、塵埃除去本体１６の開口１６ｂがエアフィルター４の最も下の部分に対向する位置としている。この位置は、また、前面パネル６に設けた蓋体９を開けたときに、開口部６ａを通して、ダストボックス１７を引き出すことができる位置でもある。
【００３２】
従って、クリーニングスイッチ１ｄがオンされて、モータ２４に通電されると、回転清掃体１５及びギヤ２３が、モータ２４側から見て、反時計方向（図６内の実線矢印）に回転するようになっている。これにより、エアフィルター４に付着した塵埃は、回転清掃体１５の清掃体１５ｂでこそぎ取られ、その塵埃は、塵埃除去本体１６内に設けた除塵体２８で梳られ、ダストボックス１７内に落下し堆積する。また、回転清掃体１５の回転と共に、ラックギヤ１０に噛み合ったギヤ２３も回転するので、ガイド溝１９に沿って除塵機構５が上昇していく。そして、本体１の上部に設けた第１の位置検出スイッチ（図示せず）が、除塵機構５がエアフィルター４の上端に達したことを検知すると、モータ２４の回転を反転、すなわち、回転清掃体１５とギヤ２３を逆転させる。これにより、回転清掃体１５が時計方向に回転しながら、除塵機構５が下降し、本体１の下部に設けた第２の位置検出スイッチ（図示せず）が、除塵機構５がエアフィルター４の下端（初期位置）に達したことを検知すると、モータ２４への通電を停止する。
【００３３】
尚、本実施例では、エアフィルター４のクリーニング運転中は、送風ファン２を回転駆動するファンモータ３を運転しないようにしている。これにより、エアフィルター４上に塵埃が吸引風で吸着されて、塵埃が取れ難くなるのを防止している。
【００３４】
上記クリーニング運転を何度か繰り返すと、ダストボックス１７内に塵埃が堆積してくるので、時々、前面パネル６に設けた蓋体９を手前に開けて、ダストボックス１７を取り出し、溜まった塵埃を廃棄するようにする。
【００３５】
上述のように、本発明に係る除塵機構５は、除塵機構５によって塵埃等が除去される被清掃面を備えたエアフィルター４と、除塵機構５によって除去された塵埃等を収容するダストボックス１７とを有するエアフィルター清掃装置に適用することができる。
【００３６】
同様にして、本発明に係る除塵機構５は、空気吸入口７から吸入した空気を空気吹出口８に導く風路を有する本体１と、本体１内に送風ファン２と、上述のエアフィルター清掃装置とを備え、このエアフィルター清掃装置でエアフィルター４に捕集された塵埃を除去するようにした空気調和機に適用することができる。
【００３７】
また、図示していないが、本発明に係る除塵機構５は、該除塵機構５を設けた掃除機用吸込具に適用することができ、さらに、電動送風機と、上述の掃除機用吸込具とを備え、電動送風機と掃除機用吸込具とを連通させた電気掃除機に適用することもできる。
【００３８】
図８（ａ）は、回転清掃体の正面図であり、図８（ｂ）回転清掃体の製法を示す斜視図であり、図８（ｃ）回転清掃体の拡大断面図である。また、図９（ａ）は、回転清掃体と除塵体の組み合わせの一例を示す図であり、図９（ｂ）は、回転清掃体と除塵体の組み合わせの他例を示す図である。尚、図９においては、説明上、除塵部２８ｂと清掃体１５ｂ又は１５ｃとを当接させていないが、実際には、図６に示すように、回転清掃体１５内に除塵部２８ｂを差し込むよう配置している。これらの図を用いて、本発明に係る回転清掃体の除塵機構の詳細について説明する。
【００３９】
回転清掃体１５は、図８に示すように、金属や樹脂などの材料からなる軸体（回転軸）１５ａと、軸体１５ａに螺旋状に形成された清掃体１５ｂとから構成されており、清掃体（起毛布）１５ｂは、基布２６ａと、基布２６ａに植毛されたブラシ部２６ｂから構成されている。そして、軸体１５ａの長手方向には一条の接着部材２７が貼り付けられており、このような状態の軸体１５ａの外周に、清掃体１５ｂを螺旋状に巻き付けることにより、基布２６ａの裏面が、軸体１５ａを一周する毎に一回の接着が必ず行われるため、清掃体１５ｂが確実に安定した状態で巻き付けられる。これにより、清掃体１５ｂの巻き付け工程が非常に安定する。
【００４０】
図９（ａ）は、回転清掃体と除塵体の組み合わせの一例を示す図であり、図９（ｂ）は回転清掃体と除塵体の組み合わせの他例を示す図である。図１０（ａ）は、従来のブラシ毛と除塵体の関係を示す図であり、図１０（ｂ）は、本発明におけるブラシ毛と除塵体の関係の一例を示す図である。また、図１０（ｃ）は、本発明におけるブラシ毛と除塵体の関係の他例を示す図であり、図１０（ｄ）は、本発明におけるブラシ毛と除塵体の関係の別の他例を示す図である。
【００４１】
図９（ａ）に示すように、回転清掃体１５と、回転清掃体１５に付着した塵埃等を除去する除塵体２８とを有しており、除塵体２８は、基部２８ａから突出し、回転清掃体１５に当接する複数の櫛歯により形成された除塵部２８ｂ、２８ｂ・・・と、櫛歯間に形成される谷部２８ｃ、２８ｃ・・・とを備え、除塵部２８ｂは、回転清掃体１５の回転軸１５ａの長手方向に向かって傾斜していると共に、除塵部２８ｂは、螺旋状に形成された清掃体１５ｂの螺旋の傾斜方向と同方向に傾斜して清掃体１５ｂに当接させている。一方、図９（ｂ）の回転清掃体１５に形成された清掃体１５ｃの螺旋の傾斜方向は、図９（ａ）の回転清掃体１５に形成された清掃体１５ａの傾斜方向と逆方向となるように形成されており、除塵部２８ｂに対して逆方向に傾斜して当接させている。
【００４２】
図９（ａ）において、回転軸１５ａを矢印の方向に回転させると、除塵部２８ｂの先端部および一方の側面２８ｄが清掃体１５ｂと当接する。そのため、傾斜していない除塵部と比較して、除塵部２８ｂのより多くの側面をつかって清掃体１５ｂを除塵することができるため、清掃体１５ｂに加わる抵抗が増加し、塵埃除去性能を向上させることができる。また、除塵部２８ｂを、清掃体１５ｂの螺旋の傾斜方向と同方向に傾斜させることによって、回転清掃体１５に加わる抵抗の増加を最小限に抑えることができる。この抵抗の増加を最小限に抑える原理については後述する。
【００４３】
また、図９（ｂ）において、回転軸１５ａを矢印の方向に回転させると、図９（ａ）と同様に、除塵部２８ｂの先端部および一方の側面も清掃体１５ｃと当接する。そのため、傾斜していない除塵部と比較して、除塵部２８ｂのより多くの側面をつかって清掃体１５ｃを除塵することができるため、清掃体１５ｃに加わる抵抗が増加し、塵埃除去性能を向上させることができる。また、除塵部２８ｂを清掃体１５ｃの螺旋の傾斜方向と逆方向に傾斜させることによって、清掃体１５ｃに加わる抵抗がさらに増加することから、塵埃除去性能をより向上させることができる。この抵抗がさらに増加する原理については後述する。
【００４４】
尚、図６に示すように、除塵部２８ｂの長手方向の中心線は、回転清掃体１５の回転中心を通らないように配置している。このように回転清掃体１５に除塵部２８ｂを差し込んだ時、差し込み深さ（回転清掃体１５の回転中心から除塵部２８ｂの先端までの距離）が同じであっても、差し込み角度によって塵埃除去性能は変化する。具体的には、除塵部２８ｂの長手方向の中心線が回転清掃体１５の中心線を通るように配置すると、除塵部２８ｂの長さは最短距離となって短くせざるをえない。一方、図６に示すように、回転中心を通らない角度で除塵部２８ｂを配置することで、差し込み深さが同じであっても、その深さまで斜めに除塵部２８ｂを配置できるため、除塵部２８ｂをより長くすることができる。これにより、清掃体の一定長さに当接する除塵部の接触面が多くなるため、塵埃除去性能を向上させることができる。
【００４５】
除塵体がブラシ毛にどのように作用しているか、図１０（ａ）〜（ｃ）を用いて説明する。先ず、図１０（ａ）に示す従来の除塵体は、除塵部３０ｂがブラシ毛２９の長手方向を含む平面に対して平行な方向となっていることから、ブラシ毛２９を除塵部３０ｂの先端部及び谷部３０ｃを使ってこそぐことになる。このように、従来の除塵体は除塵部３０ｂの側面３０ｄを使ってブラシ毛２９をこそげないため、除塵効果を低下させていた。一方、本発明における図９（ａ）及び図９（ｂ）の除塵体とブラシ毛の関係は、図１０（ｂ）及び図１０（ｃ）に示すように、除塵部２８ｂ、３１ｂがブラシ毛２９の長手方向を含む平面に対して傾斜し、平行な方向となっていないことから、除塵部２８ｂ、３１ｂの側面２８ｄ、３１ｄを使ってブラシ毛２９をこそぐことができるため、塵埃除去性能を向上させることができる。
【００４６】
また、図１０（ｄ）に示すように、ブラシ毛２９ａで構成される清掃体の先端が、除塵体の谷部３１ｃに当接しないで、除塵部３１ｂに当接するように配置する構成としてもよく、これも本発明に含まれる。このように構成することによって、清掃体が除塵体を通過するときに加わる抵抗を小さくすることができるため、モータ等の回転清掃体の駆動源に対する負荷を軽減させながら、塵埃除去性能を高めることができる。
【００４７】
図１１（ａ）は、本発明における除塵体に接触したブラシ毛の動きを示す斜視図であり、図１１（ｂ）は、同断面図である。なお、ブラシ毛２９ａは図１０（ｄ）のように谷部２８ｃに当接しないよう構成されている。これらの図を用いて除塵体がブラシ毛にどのように作用しているかを、ブラシ毛１本１本の観点から説明する。
【００４８】
図１１（ａ）及び図１１（ｂ）に示すように、ブラシ毛２９を１本で見た場合、ブラシ毛２９ａは、先ず、ブラシ毛２９ａの根元側が除塵部２８ｂに当接する。そして、ブラシ毛２９ａは撓りながら除塵部２８ｂの側面２８ｄを滑り、谷部２８ｃ方向に近づくにつれて、ブラシ毛２９の先端部が除塵部２８ｂに当接する。最終的に、ブラシ毛２９の先端部が除塵部２８ｂに届かなくなると、ブラシ毛２９は撓りが解放される共に除塵部２８ｂを通過し、当接する前の抵抗のかからない状態に戻る。尚、このブラシ毛２９の動きは清掃体１５ｂの螺旋の傾斜方向が除塵部２８ｂの傾斜方向と同方向である場合でも、逆方向である場合でも同様である。
【００４９】
図１２（ａ）は、本発明における除塵体に接触した清掃体の一例を示す断面図であり、図１２（ｂ）は、本発明における除塵体に接触した清掃体の他例を示す断面図である。これらの図を用いて清掃体の傾斜方向によって除塵体がブラシ毛及び清掃体にどのように作用しているかを、更に別の観点から説明する。
【００５０】
図１２（ａ）において、除塵部２８ｂは螺旋状に形成された清掃体１５ｂの螺旋の傾斜方向と同方向に傾斜している。ブラシ毛２９ａは回転清掃体１５の回転によって、除塵部２８ｂと当接した後、順次谷部２８ｃ方向に向かって移動することは前述のとおりである。その際、例えば清掃体１５ｂの左下に位置するブラシ毛２９ｂは、除塵部２８ｂに当接した後、撓りながら谷部２８ｃ方向に移動し始めるが、右隣、右上のブラシ毛２９ｃ、２９ｄも回転清掃体１５の回転方向（矢印方向）に移動し降りてくるので、ブラシ毛２９ｂの移動を妨げる。また、ブラシ毛２９ｂの移動を妨げた各ブラシ毛２９ｃ、２９ｄも谷部２８ｃ方向に向かって移動する。すると、ブラシ毛２９ｃ、２９ｄから更にその隣接する各ブラシ毛２９ａと連鎖的に当接して移動を妨げることとなる。このように、除塵部２８ｂと当接したブラシ毛２９ａが、その右側および右上側にある多数のブラシ毛２９ａによって除塵部２８ｂへと押し付けられるため、清掃体１５ｂには全体として抵抗がかかる。ここで、清掃体１５ｂの右下に位置するブラシ毛２９ｅは連鎖的に移動してくる左隣のブラシ毛２９ｆと当接するが、ブラシ毛２９ｅの右隣、右上にブラシ毛２９ａが存在しないため谷部２８ｃへの移動はほとんど妨げられない。このことは、清掃体１５ｂの右端側に位置する各ブラシ毛２９ａについて同様のことがいえる。そのため、除塵部２８ｂと当接したブラシ毛２９ａが受ける抵抗は、清掃体１５ｂの厚み（図１２（ａ）ではブラシ毛２９ａの４列分）に応じて増大する。
【００５１】
一方、図１２（ｂ）では除塵部２８ｂは螺旋状に形成された清掃体１５ｃの螺旋の傾斜方向と逆方向に傾斜している。ブラシ毛２９ａが、除塵部２８ｂと当接した後、順次谷部２８ｃ方向に向かって移動すること、及び隣接する各ブラシ毛２９ａが互いに連鎖的に当接し、移動を妨げるメカニズムは前述のとおりである。ここで、図１２（ａ）と異なるのは、清掃体１５ｃの螺旋の傾斜方向が除塵部２８ｂと逆方向（図右上方向）に傾斜していることである。そのため、ブラシ毛２９ｇが除塵部２８ｂを滑りながら谷部２８ｃ方向へ移動する際、回転清掃体１５の回転に伴い、順次その右側および右上側のブラシ毛２９ａが降りてくるので、除塵部２８ｂを滑っているブラシ毛２９ａが移動するのに妨げとなる隣接するブラシ毛２９ａが加速度的に増え、抵抗が増加する。具体的には、図１２（ａ）では除塵部２８ｂと当接したブラシ毛２９ａの移動を妨げるのは、その右側および右上側にある３列分のブラシ毛２９ａだけであるが、図１２（ｂ）では右側および右上側の全てのブラシ毛２９ａが移動を妨げる。また、清掃体１５ｃの右下に位置するブラシ毛２９ｈにおいても、連鎖的に移動してくる左隣のブラシ毛２９ｉと当接した後、右上のブラシ毛２９ｊだけでなく、順次降りてくる加速度的に増えたブラシ毛２９ａと当接することとなり抵抗が増加する。このことは、清掃体１５ｃの右端側に位置する各ブラシ毛２９ａについて同様のことがいえる。このように、除塵部と清掃体の傾斜を逆方向に配置することで、傾斜が同方向の場合に比べ、清掃体に掛かる抵抗を飛躍的に増加させることができる。
【００５２】
従って、除塵部の傾斜方向と清掃体の螺旋の傾斜方向と同方向とした場合は、逆方向とした場合と比べて清掃体に加わる抵抗を少なくできると共に、清掃体が除塵体から滑らかに滑り降りるため、極度に大きな抵抗を加えることなく塵埃除去性能を高めることができる。また、除塵部の傾斜方向と清掃体の螺旋の傾斜方向と逆方向とした場合は、清掃体全体に加わる抵抗がさらに増加するため、塵埃除去性能をより向上させることができる。なお、図１２（ａ）、（ｂ）ではブラシ毛２９ａが隙間なく配置されているが、これらは模式図であり、実際のブラシではブラシ毛２９ａ間に隙間があり、ブラシ毛２９ａの列が変形しながら除塵部２８ｂに当接することとなる。しかし、このような場合であっても前述の原理によってブラシ毛２９ａへの抵抗を増加させることができる。
【産業上の利用可能性】
【００５３】
本発明に係る回転清掃体の除塵機構は、エアフィルター清掃装置、空気調和機、掃除機用吸込具及び電気掃除機に組み込まれて利用される。
【符号の説明】
【００５４】
１  空気調和機本体
２  送風ファン
３  ファンモータ
４  エアフィルター
５  回転清掃体の除塵機構
６  前面パネル
１５  回転清掃体
１５ａ  回転軸（軸体）
１５ｂ、１５ｃ  清掃体
２８  除塵体
２８ａ  基部
２８ｂ、３０ｂ、３１ｂ  除塵部
２８ｃ  谷部
２９  ブラシ毛
【図１】
2017213558.tif 000003
【図２】
2017213558.tif 000004
【図３】
2017213558.tif 000005
【図４】
2017213558.tif 000006
【図５】
2017213558.tif 000007
【図６】
2017213558.tif 000008
【図７】
2017213558.tif 000009
【図８】
2017213558.tif 000010
【図９】
2017213558.tif 000011
【図１０】
2017213558.tif 000012
【図１１】
2017213558.tif 000013
【図１２】
2017213558.tif 000014